(57)【要約】【課題】画像処理装置に対して固定のアドレスを簡易に割り当てることが可能なネットワークシステムを提供する。【解決手段】ネットワークシステムは、画像処理装置１０とエージェント３０とを有する。画像処理装置１０は、アドレス割り当て装置から仮のアドレスを取得する仮アドレス取得部１１と、当該仮のアドレスを含む通知をエージェント３０に送出する通知送出部１２と、当該通知に応じてエージェント３０から提供される、当該画像処理装置用の固定のアドレスを取得する固定アドレス取得部１３とを備える。エージェント３０は、上記通知を受けると、当該通知に含まれる仮のアドレスで特定される画像処理装置１０に対して、当該画像処理装置用の固定のアドレスを提供する固定アドレス提供部３１を備える。【選択図】図２
2008015880.tif 000002
【特許請求の範囲】
【請求項１】
画像処理装置と、ネットワーク設定装置と、を有し、
前記画像処理装置は、
アドレス割り当て装置から仮のアドレスを取得する仮アドレス取得部と、
前記取得された仮のアドレスを含む通知を、前記ネットワーク設定装置に送出する通知送出部と、
前記通知に応じて前記ネットワーク設定装置から提供される、当該画像処理装置用の固定のアドレスを取得する固定アドレス取得部と、
を備え、
前記ネットワーク設定装置は、
前記通知を受けると、当該通知に含まれる仮のアドレスで特定される画像処理装置に対して、当該画像処理装置用の固定のアドレスを提供する固定アドレス提供部を備える、
ことを特徴とするネットワークシステム。
【請求項２】
請求項１に記載のネットワークシステムであって、
前記画像処理装置は、前記ネットワーク設定装置から前記固定のアドレスを取得した場合に、その旨を示す情報を印刷する印刷部を備えることを特徴とするネットワークシステム。
【請求項３】
画像処理装置と、ネットワーク設定装置と、を有し、
前記画像処理装置は、
ＤＨＣＰサーバから仮のＩＰアドレスを取得する仮アドレス取得部と、
前記取得された仮のＩＰアドレスを送信元アドレスとする通知パケットを、前記ネットワーク設定装置に送出する通知送出部と、
前記通知パケットに応じて前記ネットワーク設定装置から提供される、当該画像処理装置用の固定のＩＰアドレスを取得する固定アドレス取得部と、
を備え、
前記ネットワーク設定装置は、
前記通知パケットを受けると、当該通知パケットの送信元アドレスで特定される画像処理装置に対して、当該画像処理装置用の固定のＩＰアドレスを提供する固定アドレス提供部を備える、
ことを特徴とするネットワークシステム。
【請求項４】
請求項３に記載のネットワークシステムであって、
前記固定アドレス取得部は、前記固定アドレス提供部から、前記固定のＩＰアドレスの他に、インターネット上の所定のサーバに接続するための設定情報を取得することを特徴とするネットワークシステム。
【請求項５】
請求項４に記載のネットワークシステムであって、
前記画像処理装置は、前記ネットワーク設定装置から前記固定のアドレスおよび設定情報を取得した場合に、その旨を示す情報を印刷する印刷部を備えることを特徴とするネットワークシステム。
【請求項６】
アドレス割り当て装置から仮のアドレスを取得する仮アドレス取得部と、
前記取得された仮のアドレスを含む通知を、ネットワーク設定装置に送出する通知送出部と、
前記通知に応じて前記ネットワーク設定装置から提供される、当該画像処理装置用の固定のアドレスを取得する固定アドレス取得部と、
を備えることを特徴とする画像処理装置。
【請求項７】
画像処理装置のコンピュータに、
アドレス割り当て装置から仮のアドレスを取得するステップと、
前記取得された仮のアドレスを含む通知を、ネットワーク設定装置に送出するステップと、
前記通知に応じて前記ネットワーク設定装置から提供される、当該画像処理装置用の固定のアドレスを取得するステップと、
を実行させることを特徴とするコンピュータプログラム。
【発明の詳細な説明】
【技術分野】
【０００１】
本発明は、ネットワークシステム、画像処理装置、およびコンピュータプログラムに関する。
【背景技術】
【０００２】
ＤＨＣＰ（Dynamic Host Configuration Protocol）サーバを利用して、一時的なＩＰアドレスをＤＨＣＰクライアントに自動的に割り当てる技術が知られている。
【０００３】
特許文献１には、コンフィグレータパケットを利用して、コンフィグレーションサーバからネットワークデバイスに対してＩＰアドレスを割り当てる技術が開示されている。
【０００４】
【特許文献１】特開２００５−００４５４８号公報
【発明の開示】
【発明が解決しようとする課題】
【０００５】
ところで、プリンタ機能、スキャナ機能、コピー機能などを備える画像処理装置をＴＣＰ／ＩＰネットワークに接続しようとする場合、当該画像処理装置に対してＩＰアドレスを設定する必要がある。このＩＰアドレスの設定を手作業で行うとすると、作業が面倒である。
【０００６】
ここで、ＤＨＣＰサーバによるＩＰアドレスの割り当てを画像処理装置に適用することも可能であるが、一般に、画像処理装置のＩＰアドレスは固定であることが望ましい。
【０００７】
また、特許文献１に記載された技術を利用する場合、コンフィグレーションサーバは同一セグメント上のネットワークデバイスに対してのみＩＰアドレスを割り当て可能であるので、セグメント毎にコンフィグレーションサーバを設置しなければならない。
【０００８】
上記のような事情は、ＴＣＰ／ＩＰネットワーク以外のネットワークについても存在し得る。
【０００９】
そこで、本発明は、画像処理装置に対して固定のアドレスを簡易に割り当てることが可能なネットワークシステムを提供する。
【課題を解決するための手段】
【００１０】
本発明に係るネットワークシステムは、画像処理装置と、ネットワーク設定装置と、を有し、前記画像処理装置は、アドレス割り当て装置から仮のアドレスを取得する仮アドレス取得部と、前記取得された仮のアドレスを含む通知を、前記ネットワーク設定装置に送出する通知送出部と、前記通知に応じて前記ネットワーク設定装置から提供される、当該画像処理装置用の固定のアドレスを取得する固定アドレス取得部と、を備え、前記ネットワーク設定装置は、前記通知を受けると、当該通知に含まれる仮のアドレスで特定される画像処理装置に対して、当該画像処理装置用の固定のアドレスを提供する固定アドレス提供部を備える、ことを特徴とする。
【００１１】
本発明の一態様では、前記画像処理装置は、前記ネットワーク設定装置から前記固定のアドレスを取得した場合に、その旨を示す情報を印刷する印刷部を備える。
【００１２】
また、本発明に係るネットワークシステムは、画像処理装置と、ネットワーク設定装置と、を有し、前記画像処理装置は、ＤＨＣＰサーバから仮のＩＰアドレスを取得する仮アドレス取得部と、前記取得された仮のＩＰアドレスを送信元アドレスとする通知パケットを、前記ネットワーク設定装置に送出する通知送出部と、前記通知パケットに応じて前記ネットワーク設定装置から提供される、当該画像処理装置用の固定のＩＰアドレスを取得する固定アドレス取得部と、を備え、前記ネットワーク設定装置は、前記通知パケットを受けると、当該通知パケットの送信元アドレスで特定される画像処理装置に対して、当該画像処理装置用の固定のＩＰアドレスを提供する固定アドレス提供部を備える、ことを特徴とする。
【００１３】
本発明の一態様では、前記固定アドレス取得部は、前記固定アドレス提供部から、前記固定のＩＰアドレスの他に、インターネット上の所定のサーバに接続するための設定情報を取得する。
【００１４】
上記構成の一態様では、前記画像処理装置は、前記ネットワーク設定装置から前記固定のアドレスおよび設定情報を取得した場合に、その旨を示す情報を印刷する印刷部を備える。
【００１５】
本発明に係る画像処理装置は、アドレス割り当て装置から仮のアドレスを取得する仮アドレス取得部と、前記取得された仮のアドレスを含む通知を、ネットワーク設定装置に送出する通知送出部と、前記通知に応じて前記ネットワーク設定装置から提供される、当該画像処理装置用の固定のアドレスを取得する固定アドレス取得部と、を備えることを特徴とする。
【００１６】
本発明に係るコンピュータプログラムは、画像処理装置のコンピュータに、アドレス割り当て装置から仮のアドレスを取得するステップと、前記取得された仮のアドレスを含む通知を、ネットワーク設定装置に送出するステップと、前記通知に応じて前記ネットワーク設定装置から提供される、当該画像処理装置用の固定のアドレスを取得するステップと、を実行させることを特徴とする。
【発明の効果】
【００１７】
本発明によれば、画像処理装置に対して固定のアドレスを簡易に割り当てることが可能なネットワークシステムを提供することができる。
【発明を実施するための最良の形態】
【００１８】
以下、本発明の実施の形態を図面に従って説明する。
【００１９】
図１は、本実施の形態に係るネットワークシステム１００の全体構成を示すブロック図である。
【００２０】
図１において、ネットワークシステム１００は、画像処理装置１０と、アドレス割り当て装置としてのＤＨＣＰサーバ２０と、ネットワーク設定装置としてのエージェント３０とを含み、これらはイントラネット１上に設置されている。
【００２１】
画像処理装置１０は、プリンタ機能、スキャナ機能、コピー機能、またはファクシミリ機能を備える装置である。本実施の形態では、画像処理装置１０は、上記機能のうち、プリンタ機能を含む２つ以上の機能を備える複合機（MFP: Multi Function Peripheral）である。
【００２２】
ＤＨＣＰサーバ２０は、イントラネット１上のネットワークデバイスに対して仮のＩＰアドレスを自動的に割り当てる装置である。このＤＨＣＰサーバ２０は、同一セグメント上のネットワークデバイスに対してＩＰアドレスを提供することができるが、別のセグメントに存在するネットワークデバイスに対しては提供することができない。すなわち、ＤＨＣＰサーバ２０は、ルータ越しにＩＰアドレスを提供することはできない。
【００２３】
エージェント３０は、画像処理装置１０に対して固定のＩＰアドレスを提供するサーバである。具体的には、エージェント３０は、仮のＩＰアドレスが設定された画像処理装置１０と通信して、当該画像処理装置１０に固定のＩＰアドレスを割り当てるものである。したがって、エージェント３０は、ルータ越しにＩＰアドレスを提供することが可能であり、画像処理装置１０と同一セグメント上に存在していてもよいし、別のセグメント上に存在していてもよい。エージェント３０は、例えば、パーソナルコンピュータ（ＰＣ）により実現されてもよいし、特定の画像処理装置１０により実現されてもよい。
【００２４】
イントラネット１は、プロキシサーバ４０を介してインターネット２に接続されている。インターネット２上には、ポータルサービスを提供するポータルサービス提供サーバ５０と、画像処理装置１０に対してサービスを提供するサービス提供サーバ６０とが設置されている。ここで、サービス提供サーバ６０のサービスとしては、例えば、画像処理装置１０からスキャン文書を受け取って保存するサービスなどが挙げられる。
【００２５】
図２は、画像処理装置１０およびエージェント３０の機能構成を示すブロック図である。以下、図２に従って、画像処理装置１０およびエージェント３０の機能構成について説明する。
【００２６】
画像処理装置１０は、仮アドレス取得部１１、通知送出部１２、固定アドレス取得部１３、および印刷部１４を有する。
【００２７】
仮アドレス取得部１１は、アドレス割り当て装置から仮のアドレスを取得する。具体的には、仮アドレス取得部１１は、広く知られたＤＨＣＰプロトコルに従って、当該画像処理装置１０と同一セグメント上に存在するＤＨＣＰサーバ２０から仮のＩＰアドレスを取得する。
【００２８】
通知送出部１２は、仮アドレス取得部１１により取得された仮のアドレスを含む通知を、ネットワーク設定装置に送出する。具体的には、通知送出部１２は、仮アドレス取得部１１により取得された仮のＩＰアドレスを送信元アドレスとする通知パケットを、エージェント３０に送出する。
【００２９】
固定アドレス取得部１３は、通知送出部１２からの通知に応じてネットワーク設定装置から提供される、当該画像処理装置１０用の固定のアドレスを取得する。具体的には、固定アドレス取得部１３は、通知送出部１２からの通知パケットに応じてエージェント３０から提供される、当該画像処理装置１０用の固定のＩＰアドレスを取得する。本実施の形態では、固定アドレス取得部１３は、エージェント３０から、固定のＩＰアドレスの他に、インターネット２上のサービス提供サーバ６０に接続するための設定情報を取得する。ここで、設定情報としては、サブネットマスクやデフォルトゲートウェイアドレスなどのネットワーク設定情報や、プロキシサーバアドレスやサービスＵＲＬなどのインターネット接続情報がある。
【００３０】
印刷部１４は、ネットワーク設定装置から固定のアドレスを取得した場合に、その旨を示す情報を印刷出力する。本実施の形態では、印刷部１４は、エージェント３０から固定のＩＰアドレスおよび上記設定情報を取得した場合に、その旨を示す情報を印刷出力する。なお、印刷部１４は、画像処理装置１０における上記固定のアドレスの設定が完了した場合や、上記設定情報の設定が完了した場合に、その旨を示す情報を印刷してもよい。
【００３１】
エージェント３０は、固定アドレス提供部３１を有する。この固定アドレス提供部３１は、上記通知を受けると、当該通知に含まれる仮のアドレスで特定される画像処理装置１０に対して、当該画像処理装置１０用の固定のアドレスを提供する。具体的には、固定アドレス提供部３１は、上記通知パケットを受けると、当該通知パケットの送信元アドレスで特定される画像処理装置１０に対して、当該画像処理装置１０用の固定のＩＰアドレスを提供する。
【００３２】
なお、上記の画像処理装置１０およびエージェント３０の上記各種機能は、例えば、ＲＯＭ（Read Only Memory）やハードディスク等の記録媒体に記録されたコンピュータプログラムがメインメモリに読み出されてＣＰＵ（Central Processing Unit）に実行されることによって実現される。このようなプログラムは、ＣＤ−ＲＯＭ等の適宜の記録媒体に記録されて配布されることも可能であるし、ネットワーク経由で配信されることも可能である。ただし、上記各装置１０、３０の機能の一部または全部は、専用のハードウェア装置など、他の構成により実現されてもよい。
【００３３】
図３は、画像処理装置１０の動作手順を示すフローチャートである。図４は、エージェント３０の動作手順を示すフローチャートである。以下、図３，４を参照して、画像処理装置１０およびエージェント３０の動作について説明する。
【００３４】
図３において、画像処理装置１０は、ＤＨＣＰによるＩＰアドレスの自動設定モードで動作し、ＤＨＣＰサーバ２０を参照する（Ｓ１１）。具体的には、画像処理装置１０は、ＤＨＣＰプロトコルに従って、同一セグメントに設置されているＤＨＣＰサーバ２０から仮のＩＰアドレスを取得して設定する。このとき、画像処理装置１０は、ＩＰアドレスだけでなく、イントラネット１に接続するための他の設定情報（サブネットマスクやデフォルトゲートウェイアドレス等）を、ＤＨＣＰサーバ２０から取得して設定してもよい。
【００３５】
上記仮のＩＰアドレスの設定が終了すると（Ｓ１２：ＹＥＳ）、画像処理装置１０は、上記仮のＩＰアドレスを送信元アドレスとする通知パケットを、エージェント３０に対して送信する（Ｓ１３）。本実施の形態では、通知パケットは、画像処理装置１０を識別するための識別情報であるシリアル番号を含む。
【００３６】
ここで、画像処理装置１０がエージェント３０に通知パケットを送信する方法としては、例えば、ＳＬＰ（Service Location Protocol）を利用する方法や、エージェント３０のアドレスをＬＤＡＰ（Lightweight Directory Access Protocol）サーバに登録しておき、画像処理装置１０がＬＤＡＰサーバにエージェント３０のアドレスを問い合わせるようにする方法が挙げられる。なお、ＳＬＰはマルチキャストであるが、ＴＴＬ（ホップ数：Time To Live）を制御することにより、通知パケットの伝達範囲が制御される。
【００３７】
図４において、エージェント３０は、上記の通知パケットを受信し（Ｓ２１）、画像処理装置１０を検知すると（Ｓ２２：ＹＥＳ）、検知された画像処理装置１０に対して、ネットワーク設定情報およびインターネット接続設定情報を提供する（Ｓ２３）。具体的には、エージェント３０は、受信された通知パケットの送信元アドレス（仮のＩＰアドレス）を宛先アドレスとして、ネットワーク設定情報およびインターネット接続設定情報を含む設定パケットを送出する。
【００３８】
ここで、ネットワーク設定情報は、画像処理装置１０に設定されるべき固定のＩＰアドレスを少なくとも含み、サブネットマスクやデフォルトゲートウェイアドレス等を含んでいてもよい。インターネット接続設定情報は、サービス提供サーバ６０のアドレス情報であるサービスＵＲＬと、プロキシサーバの設定を行うための情報とを含む。サービスＵＲＬやプロキシサーバの設定を行うための情報は、例えば管理者によりエージェント３０に事前に設定される。ただし、サービスＵＲＬは変更される可能性があるので、エージェント３０が、定期ポーリングなどにより、サービス側（例えばポータルサービス提供サーバ５０）から最新のサービスＵＲＬを取得するように構成されてもよい。
【００３９】
図３において、画像処理装置１０は、上記の設定パケットを受信すると（Ｓ１４：ＹＥＳ）、当該設定パケットに含まれるネットワーク設定情報およびインターネット接続設定情報に基づき、ネットワーク設定とインターネット接続設定とを行う（Ｓ１５）。具体的には、画像処理装置１０は、ネットワーク設定として、固定のＩＰアドレスの設定、サブネットマスクの設定、デフォルトゲートウェイの設定などを行う。また、画像処理装置１０は、インターネット接続設定として、サービスＵＲＬの設定、プロキシサーバの設定などを行う。これにより、画像処理装置１０は、サービス提供サーバ６０に接続することが可能となる。
【００４０】
上記設定が完了すると、画像処理装置１０は、設定の完了を示す設定完了パケットをエージェント３０に送信し（Ｓ１６）、設定内容（設定された固定のＩＰアドレス等）を印刷出力する（Ｓ１７）。
【００４１】
図４において、エージェント３０は、上記の設定完了パケットを受信すると（Ｓ２４：ＹＥＳ）、ステップＳ２１で受信された通知パケットに含まれる画像処理装置１０のシリアル番号と、ステップＳ２３で当該画像処理装置１０に提供された固定のＩＰアドレスとを対応付けて保存する（Ｓ２５）。このとき、エージェント３０は、ステップＳ２３で提供された他のネットワーク設定情報やインターネット接続設定情報を、上記シリアル番号と対応付けて保存してもよい。
【００４２】
なお、上記説明では、エージェント３０は通知パケットに応答して自動的に設定パケットを送出しているが、エージェント３０は、管理者等の利用者の操作に基づいて設定パケットを送出してもよい。例えば、エージェント３０は、次のように動作してもよい。エージェント３０は、通知パケットを受信すると、送信元の画像処理装置１０を表す装置アイコンを、管理者画面上に表示させる。管理者画面上において、上記装置アイコンに対してネットワーク設定情報やインターネット接続情報を表す設定アイコンがドラッグアンドドロップされると、エージェント３０は、装置アイコンに対応する画像処理装置１０に対して、設定アイコンに対応する設定情報を含む設定パケットを送信する。
【００４３】
また、上記説明では、ネットワークとしてＴＣＰ／ＩＰネットワークを例示したが、他の種類のネットワークであってもよい。
【００４４】
以上説明した本実施の形態によれば、下記（１）〜（４）の効果が得られ得る。
【００４５】
（１）本実施の形態では、画像処理装置は、アドレス割り当て装置から仮のアドレスを取得し、当該仮のアドレスを含む通知をネットワーク設定装置に送出する。ネットワーク設定装置は、当該通知を受けると、当該通知に含まれる仮のアドレスで特定される画像処理装置に対して、当該画像処理装置用の固定のアドレスを提供する。このため、本実施の形態によれば、画像処理装置に対して固定のアドレスを簡易に割り当てることが可能となる。具体的に説明すると、画像処理装置はＤＨＣＰサーバから仮のＩＰアドレスを取得し、当該仮のＩＰアドレスを用いてネットワーク設定装置と通信するので、ネットワーク設定装置は画像処理装置と同一セグメント上に設置されていなくてもよい。したがって、本実施の形態では、セグメント毎にネットワーク設定装置を設置する必要がない。
【００４６】
（２）本実施の形態では、画像処理装置は、ネットワーク設定装置から固定のアドレスを取得した場合に、その旨を示す情報を印刷する。このため、本実施の形態によれば、画像処理装置による固定のアドレスの取得が完了したことを、当該画像処理装置の印刷出力によって認識することが可能となる。
【００４７】
（３）本実施の形態では、画像処理装置は、ネットワーク設定装置から、固定のＩＰアドレスの他に、インターネット上の所定のサーバに接続するための設定情報を取得する。このため、画像処理装置からインターネット上の所定のサーバにアクセスするための設定を容易化することができる。具体的には、画像処理装置がネットワーク設定装置から設定情報を取得するので、管理者等が設定情報を入力する手間を省くことができる。
【００４８】
（４）本実施の形態では、画像処理装置は、ネットワーク設定装置から固定のアドレスおよび設定情報を取得した場合に、その旨を示す情報を印刷する。このため、画像処理装置による固定のアドレスおよび設定情報の取得が完了したことを、当該画像処理装置の印刷出力によって認識することが可能となる。
【００４９】
なお、本発明は、上記実施の形態に限定されるものではなく、本発明の要旨を逸脱しない範囲内で種々変更することができる。例えば、上記のネットワークシステム１００は、下記（ａ）〜（ｆ）に示されるように構成されてもよい。
【００５０】
（ａ）エージェント３０が、イントラネット１内の画像処理装置１０のＩＰアドレスを管理する機能を有する。この場合、割り当てられていない固定ＩＰアドレスを管理者等がエージェント３０に手で入力してもよいが、ＤＮＳ（Domain Name System）サーバなどＩＰアドレスを管理しているサーバにエージェント３０が定期的に問い合わせて管理してもよい。
【００５１】
（ｂ）エージェント３０が、画面上での管理者等の操作に基づき、画像処理装置１０のＩＰアドレスを変更する機能を有する。具体的には、エージェント３０は、既に固定ＩＰアドレスが割り当てられている画像処理装置１０のアイコンが画面上に表示され、余っている固定ＩＰアドレスのアイコンも画面上に表示されるようにする。この画面上で、余っている固定ＩＰアドレスのアイコンが、既に固定ＩＰアドレスが割り当てられている画像処理装置１０のアイコンにドラッグアンドドロップされると、エージェント３０は、当該操作に応じて、画像処理装置１０と通信し、当該画像処理装置１０の固定ＩＰアドレスを変更する。
【００５２】
（ｃ）エージェント３０が、ＤＮＳサーバなどのネットワーク情報管理機能を備える。
【００５３】
（ｄ）エージェント３０は、ＤＨＣＰサーバ２０から割り当てられるＩＰアドレスが枯渇している場合や、固定ＩＰアドレスが枯渇している場合は、その旨を報知する。例えば、その旨のメッセージをポップアップで画面上に表示させたり、管理者等にその旨のメールを送信したりする。また、固定ＩＰアドレスが枯渇している場合には、エージェント３０は、固定ＩＰアドレスが割り当てられていない画像処理装置１０のアイコンを赤く点滅させてもよい。
【００５４】
（ｅ）画像処理装置１０は、ＩＰアドレスの枯渇によりＤＨＣＰサーバ２０から仮のＩＰアドレスが割り当てられない場合、その旨を報知する。例えば、画像処理装置１０は、「ＤＨＣＰサーバによるＩＰアドレスの取得ができませんでした。ネットワーク管理者に問い合わせてください。」という旨のエラーメッセージを紙に出力したり、ＤＨＣＰサーバからＩＰアドレスを取得できなかった旨のメールを管理者等に送信したりする。
【００５５】
（ｆ）画像処理装置１０は、固定ＩＰアドレスの枯渇によりエージェント３０から固定のＩＰアドレスが割り当てられない場合、その旨を報知する。例えば、画像処理装置１０は、「固定ＩＰアドレスの取得ができませんでした。ネットワーク管理者に問い合わせてください。」という旨のエラーメッセージを紙に出力したり、固定ＩＰアドレスを取得できなかった旨のメールを管理者等に送信したりする。
【図面の簡単な説明】
【００５６】
【図１】実施の形態に係るネットワークシステムの全体構成を示すブロック図である。
【図２】画像処理装置およびエージェントの機能構成を示すブロック図である。
【図３】画像処理装置の動作手順を示すフローチャートである。
【図４】エージェントの動作手順を示すフローチャートである。
【符号の説明】
【００５７】
１  イントラネット、２  インターネット、１０  画像処理装置、１１  仮アドレス取得部、１２  通知送出部、１３  固定アドレス取得部、１４  印刷部、２０  ＤＨＣＰサーバ、３０  エージェント、３１  固定アドレス提供部、１００  ネットワーク。
【図１】
2008015880.tif 000003
【図２】
2008015880.tif 000004
【図３】
2008015880.tif 000005
【図４】
2008015880.tif 000006